(57)【特許請求の範囲】
【請求項１】
駐車場の入口側に設けられ、前記駐車場に入場する車両を検知し、この検知された車両に向けて少なくとも現在時刻と駐車場料金決済側のアドレスとが記録された駐車場入場情報を送信する入口路側装置と、
前記駐車場の出口側に設けられ、前記駐車場から退場する車両を検知し、この検知された車両に向けて少なくとも現在時刻が記録された駐車場退場情報を送信する出口路側装置と、
前記車両に設けられ、前記入口路側装置から送信された駐車場入場情報、および前記出口路側装置から送信された駐車場退場情報を受信し、前記駐車場入場情報を受信した場合には、この受信した駐車場入場情報に記録されたアドレスへ前記駐車場入場情報を送信するよう入場指示情報を出力し、前記駐車場退場情報を受信した場合には、前記アドレスへ前記駐車場退場情報を送信するよう退場指示情報を出力する車載器と、
前記車載器から出力された入場指示情報に基づいて、この車両の車両識別情報および前記駐車場入場情報を前記アドレスへ送信し、前記車載器から出力された退場指示情報に基づいて、この車両の車両識別情報および前記駐車場退場情報を前記アドレスへ送信する携帯電話と、
前記携帯電話から送信された車両識別情報および駐車場入場情報を受信し、前記受信した車両識別情報および駐車場入場情報に基づいてこの車両の駐車場への入場登録処理を行う入場登録処理装置と、
前記携帯電話から送信された車両識別情報および駐車場退場情報を受信し、前記受信した車両識別情報および駐車場退場情報、および前記入場登録処理装置によってなされた入場登録処理結果に基づいて、この車両への駐車場料金の課金処理を行う課金処理装置と
を備えたことを特徴とする駐車場料金課金システム。
【請求項２】
請求項１に記載の駐車場料金課金システムにおいて、
前記課金処理装置は、更に、課金処理結果に基づいて、車両毎に予め定められた口座から前記駐車場料金を引き落とすようにしたことを特徴とする駐車場料金課金システム。
【請求項３】
請求項１または請求項２に記載の駐車場料金課金システムにおいて、
前記課金処理装置は、課金処理結果を送信元の携帯電話に向けて送信し、
前記携帯電話は、前記課金処理装置から送信された課金処理結果を受信し、表示または音声出力するようにしたことを特徴とする駐車場料金課金システム。
【請求項４】
車両に備えられた車載器と携帯電話とからなる駐車場料金課金システムであって、
前記車載器は、
駐車場の入口側に設けられた入口路側装置から送信された、少なくとも現在時刻と駐車場料金決済側のアドレスとが記録された駐車場入場情報と、前記駐車場の出口側に設けられた出口路側装置から送信された、少なくとも現在時刻が記録された駐車場退場情報とを受信する受信手段と、
前記受信手段によって前記駐車場入場情報が受信された場合には、この受信した駐車場入場情報に記録されたアドレスへ、前記駐車場入場情報を送信するよう入場指示情報を出力するとともに、前記受信手段によって前記駐車場退場情報が受診された場合には、前記アドレスへ、前記駐車場退場情報を送信するよう退場指示情報を出力する指示手段とを備え、
前記携帯電話は、前記指示手段から出力された入場指示情報に基づいて、前記アドレスへ前記車両識別情報および前記駐車場入場情報を、前記指示手段から出力された退場指示情報に基づいて、前記アドレスへ前記車両識別情報および前記駐車場退場情報を課金処理側に送信するとともに、前記課金処理側においてなされた課金処理結果を受信するようにしたことを特徴とする駐車場料金課金システム。
【請求項５】
請求項４に記載の駐車場料金課金システムにおいて、
前記携帯電話は、前記受信した課金処理結果を、表示または音声出力するようにしたことを特徴とする駐車場料金課金システム。
【請求項６】
請求項１乃至５のうちいずれか１項に記載の駐車場料金課金システムにおいて、
前記車載器を、前記携帯電話よりも狭域における通信に用いるようにしたことを特徴とする駐車場料金課金システム。
【発明の詳細な説明】
【０００１】
【発明の属する技術分野】
本発明は、駐車場料金課金システムに係り、更に詳しくは、車両に搭載した狭域通信用の車載器と、広域通信用の携帯端末とを用い、車両の入退場に伴って駐車場料金を自動的に課金処理する駐車場料金課金システムに関する。
【０００２】
【従来の技術】
これまで、自動管理されている有料駐車場では、車両が入場する際に、駐車場入口で運転手が発券機から駐車券を受け取り、一方、駐車場出口では、運転手がその駐車券を清算機に挿入し、更に清算された料金をこの清算機に投入することによって料金収受する方法が一般的である。
【０００３】
【発明が解決しようとする課題】
しかしながら、このような従来の駐車場料金収受方法では、以下のような問題がある。
【０００４】
すなわち、上述したような駐車場料金収受方法では、発券機からの駐車券の受け取り、および清算機への駐車券の挿入および料金の投入を、運転手が運転席から行う必要がある。
【０００５】
このため、運転手は、窓を開け、手を伸ばす、あるいは身を乗り出すなどして駐車券の受け取りや、清算機への駐車券の挿入および料金の投入を行っている。
【０００６】
したがって、運転手の負担が大きく、駐車場の入口および出口における混雑をもたらしているという問題がある。
【０００７】
一方、駐車券を紛失した場合、再発行しなくてはならないために、一旦駐車券を紛失してしまうと、再発行されるまでに、駐車場から出ることができず、その間拘束されてしまうという問題がある。この場合、特に駐車場が混雑している場合だと、駐車場の空きを待っている車両に対しても迷惑をかけてしまう。
【０００８】
本発明はこのような事情に鑑みてなされたものであり、携帯電話と、この携帯電話のオートダイヤル機能を備えた車載器とを用い、必要な情報を携帯電話から決済側に自動的に送信することによって課金処理を行い、車載器のコストダウンを図りつつ駐車場の料金収受に伴う運転手の負担を低減することが可能な駐車場料金課金システムを提供することを目的とする。
【０００９】
【課題を解決するための手段】
上記の目的を達成するために、本発明では、以下のような手段を講じる。
【００１０】
すなわち、請求項１の発明の駐車場料金課金システムは、入口路側装置と、出口路側装置と、車載器と、携帯電話と、入場登録処理装置と、課金処理装置とを備えている。
【００１１】
入口路側装置は、駐車場の入口側に設けられ、駐車場に入場する車両を検知し、この検知された車両に向けて少なくとも現在時刻と駐車場料金決済側のアドレスとが記録された駐車場入場情報を送信する。
【００１２】
出口路側装置は、駐車場の出口側に設けられ、駐車場から退場する車両を検知し、この検知された車両に向けて少なくとも現在時刻が記録された駐車場退場情報を送信する。
【００１３】
車載器は、車両に設けられ、入口路側装置から送信された駐車場入場情報、および出口路側装置から送信された駐車場退場情報を受信し、駐車場入場情報を受信した場合には、この受信した駐車場入場情報に記録されたアドレスへ駐車場入場情報を送信するよう入場指示情報を出力し、駐車場退場情報を受信した場合には、アドレスへ駐車場退場情報を送信するよう退場指示情報を出力する。
【００１４】
携帯電話は、車載器から出力された入場指示情報に基づいて、この車両の車両識別情報および駐車場入場情報をアドレスへ送信し、車載器から出力された退場指示情報に基づいて、この車両の車両識別情報および駐車場退場情報をアドレスへ送信する。
【００１５】
入場登録処理装置は、携帯電話から送信された車両識別情報および駐車場入場情報を受信し、受信した車両識別情報および駐車場入場情報に基づいてこの車両の駐車場への入場登録処理を行う。
【００１６】
課金処理装置は、携帯電話から送信された車両識別情報および駐車場退場情報を受信し、受信した車両識別情報および駐車場退場情報、および入場登録処理装置によってなされた入場登録処理結果に基づいて、この車両への駐車場料金の課金処理を行う。
【００１７】
請求項２の発明では、請求項１の発明の駐車場料金課金システムにおいて、課金処理装置は、更に、課金処理結果に基づいて、車両毎に予め定められた口座から駐車場料金を引き落とす。
【００１８】
請求項３の発明では、請求項１または請求項２の発明の駐車場料金課金システムにおいて、課金処理装置は、課金処理結果を送信元の携帯電話に向けて送信し、携帯電話は、課金処理装置から送信された課金処理結果を受信し、表示または音声出力する。
【００１９】
請求項４の発明では、車両に備えられた車載器と携帯電話とからなる駐車場料金課金システムである。
【００２０】
そして、車載器は、駐車場の入口側に設けられた入口路側装置から送信された、少なくとも現在時刻と駐車場料金決済側のアドレスとが記録された駐車場入場情報と、駐車場の出口側に設けられた出口路側装置から送信された、少なくとも現在時刻が記録された駐車場退場情報とを受信する受信手段と、受信手段によって駐車場入場情報が受信された場合には、この受信した駐車場入場情報に記録されたアドレスへ、駐車場入場情報を送信するよう入場指示情報を出力するとともに、受信手段によって駐車場退場情報が受診された場合には、アドレスへ、駐車場退場情報を送信するよう退場指示情報を出力する指示手段とを備えている。
【００２１】
一方、携帯電話は、指示手段から出力された入場指示情報に基づいて、アドレスへ車両識別情報および駐車場入場情報を、指示手段から出力された退場指示情報に基づいて、アドレスへ車両識別情報および駐車場退場情報を課金処理側に送信するとともに、課金処理側においてなされた課金処理結果を受信する。
【００２２】
請求項５の発明では、請求項４の発明の駐車場料金課金システムにおいて、携帯電話は、受信した課金処理結果を、表示または音声出力する。
【００２３】
請求項６の発明では、請求項１乃至５のうちいずれか１項の発明の駐車場料金課金システムにおいて、車載器を、携帯電話よりも狭域における通信に用いる。
【００２４】
【発明の実施の形態】
以下に、本発明の各実施の形態について図面を参照しながら説明する。
【００２５】
（第１の実施の形態）
本発明の第１の実施の形態を図１から図６を用いて説明する。
【００２６】
図１は、第１の実施の形態に係る駐車場料金課金システムの構成例を示す概念図である。
【００２７】
すなわち、第１の実施の形態に係る駐車場料金課金システムは、車両２に搭載された車載器３と携帯電話４、および駐車場入口に備えられた入口路側装置５、駐車場出口に備えられた出口路側装置６、決済サービスセンタ装置７とから構成してなる。
【００２８】
まず、入口路側装置５と出口路側装置６とについて説明する。
【００２９】
車両２が駐車場に入場しようとすると、入口ゲート９付近に備えられた図示しないカメラ、ＶＰＤ、レーザＶＰＤ、踏み板、ループコイル等のうちのいずれかがそれを検知する。そして、同様に入口ゲート９付近に設置された図示しないカメラ、電子ナンバープレート（車両無線タグ）リーダ等のうちのいずれかが車両２のナンバープレートを認識し、この認識情報に基づいて、入口路側装置５は、狭域通信によって、この車両２の車両番号、現在時刻、決済サービスセンタ装置７のアドレス等が記録された駐車場入場情報ａを暗号化してこの車両２の車載器３に送信する。なお、このような狭域通信の具体的な方法としては、ＤＳＲＣ（Ｄｅｄｉｃａｔｅｄ  Ｓｈｏｒｔ  Ｒａｎｇｅ  Ｃｏｍｍｕｎｉｃａｔｉｏｎ）、光ビーコン、電波ビーコン、ブルートゥース等がある。
【００３０】
また、一旦駐車場に入った車両２が、駐車場から退場しようとすると、出口ゲート１０付近に備えられた図示しないカメラ、ＶＰＤ、レーザＶＰＤ、踏み板、ループコイル等のうちのいずれかがそれを検知する。そして、同様に出口ゲート１０付近に設置された図示しないカメラ、電子ナンバープレート（車両無線タグ）リーダ等が車両２のナンバープレートを認識し、この認識情報に基づいて、出口路側装置６は、狭域通信によって、この車両２の車両番号、現在時刻等が記録された駐車場退場情報ｂを、暗号化してこの車両２の車載器３に送信する。なお、このような狭域通信の具体的な方法もまた、ＤＳＲＣ（Ｄｅｄｉｃａｔｅｄ  Ｓｈｏｒｔ  Ｒａｎｇｅ  Ｃｏｍｍｕｎｉｃａｔｉｏｎ）、光ビーコン、電波ビーコン、ブルートゥース等がある。
【００３１】
次に、車両２に搭載された車載器３と携帯電話４について説明する。
【００３２】
図２は、車載器３の機能ブロック図である。すなわち、車載器３は、狭域受信器１２と、ＣＰＵ１３と、メモリ１４と、インタフェース（Ｉ／Ｆ）１５とを備えている。
【００３３】
狭域受信器１２は、入口路側装置５から送信された駐車場入場情報ａ、および出口路側装置６から送信された駐車場退場情報ｂを受信し、受信した情報をＣＰＵ１３に転送する。なお、車載器３および携帯電話４では、駐車場入場情報ａ、駐車場退場情報ｂともに復号しない。
【００３４】
ＣＰＵ１３は、狭域受信器１２から転送された駐車場入場情報ａおよび駐車場退場情報ｂをメモリ１４に記憶させる。そして、駐車場入場情報ａに基づいて、Ｉ／Ｆ１５に対して、携帯電話４から決済サービスセンタ装置７のアドレスに、駐車場入場情報ａを、この車両２の車両識別情報ｃとともに送信させる。同様に、駐車場退場情報ｂに基づいて、Ｉ／Ｆ１５に対して、携帯電話４から決済サービスセンタ装置７のアドレスに、駐車場退場情報ｂを、この車両２の車両識別情報ｃとともに送信させる。
【００３５】
携帯電話４は、Ｉ／Ｆ１５からの指示に基づいて、駐車場入場時には、決済サービスセンタ装置７へ、駐車場入場情報ａを、この車両２の車両識別情報ｃとともに送信する。また、駐車場退場時には、決済サービスセンタ装置７へ、駐車場退場情報ｂを、この車両２の車両識別情報ｃとともに送信する。
【００３６】
なお、車載器３と携帯電話４との接続方法としては、図３（ａ）および図３（ｂ）に示すように、ＰＤＣケーブルやＵＳＢケーブルなどを用いた有線によるもの、図３（ｃ）および図３（ｄ）に示すように、ブルートゥースや赤外線などを用いた無線によるもの、あるいは、図３（ｅ）に示すように、携帯電話４を車載器３もしくは車両２に直接はめ込んだ一体化によるもの等あるが、その方法は問わない。例えば、図４に示すように、携帯電話４の機能を持つ基板１６を車載器３に内蔵した構成としても良い。
【００３７】
次に決済サービスセンタ装置７について説明する。
【００３８】
決済サービスセンタ装置７は、駐車場に入場する車両２の携帯電話４から、駐車場入場情報ａおよび車両識別情報ｃが送信されるようにしている。そして、これらの情報を受信し、この車両２に対応する入場時間を記録することによって、この車両２の駐車場への入場登録処理を行い、入口ゲート９を開け、車両２の駐車場への入場を許可する。
【００３９】
また、駐車場から退場する車両２の携帯電話４から、駐車場退場情報ｂおよび車両識別情報ｃが送信されるようにしている。そして、これらの情報を受信し、この車両２に対応する入場時間を検索し、この車両２に対応する駐車時間を計算する。そして、この駐車時間に基づいて駐車場料金を計算するとともに、出口ゲート１０を開いて車両２の駐車場からの退場を許可する。なお、計算された駐車場料金は、車両２毎に予め定められた口座から引き落とすようにしている。
【００４０】
携帯電話４から決済サービスセンタ装置７へのデータ通信は、広域通信によって行うので、決済サービスセンタ装置７は駐車場に近接している必要はない。したがって、駐車場から遠隔下刃書に配置し、更に複数の駐車場の決済業務を兼用することが可能である。
【００４１】
次に、以上のように構成した本実施の形態に係る駐車場料金課金システムの動作について図５に示すデータ流れ図、および図６に示すフローチャートを用いて説明する。
【００４２】
車両２が駐車場に入場しようとすると、入口ゲート９付近に備えられた図示しないカメラ、ＶＰＤ、レーザＶＰＤ、踏み板、ループコイル等のうちのいずれかによって検知される。そして、入口ゲート９付近に設置された図示しないカメラ、電子ナンバープレート（車両無線タグ）リーダ等のうちのいずれかによって車両２のナンバープレートが認識される。入口路側装置５では、この認識情報に基づいて、車両番号、現在時刻、および決済サービスセンタ装置７のアドレス等が記録された駐車場入場情報ａが作成される。そして、この作成された駐車場入場情報ａは暗号化され、狭域通信によってこの車両２の車載器３に送信される。（Ｓ１）。
【００４３】
この送信された駐車場入場情報ａは、車載器３の狭域受信器１２に受信され、ＣＰＵ１３に転送される。そして、ＣＰＵ１３では、駐車場入場情報ａに基づいて、駐車場入場情報ａを拒否するか承諾するかが判定される。なお、拒否する場合というのは、例えば、駐車場を利用するのをやめる場合、あるいは駐車場入場情報ａの内容に矛盾がある場合（異なる車両番号が記録されている、あるいは異なる時間が記録されている場合等）である。駐車場入場情報ａを承諾する場合には、この駐車場入場情報ａがメモリ１４に記憶され、更に、Ｉ／Ｆ１５によって、携帯電話４が、駐車場入場情報ａで指定された決済サービスセンタ装置７のアドレス（電話番号）へとオートダイヤルされる。携帯電話４が、決済サービスセンタ装置７にオートダイヤルすることによって、広域通信を利用して、決済サービスセンタ装置７に駐車場入場情報ａおよびこの車両の車両識別情報ｃが送信される（Ｓ２）。
【００４４】
この車両２の携帯電話４から送信された駐車場入場情報ａおよび車両識別情報ｃは、決済サービスセンタ装置７によって受信される。そして、決済サービスセンタ装置７では、これらの情報に基づいて、この車両２に対応する入場時間が記録され、この車両２の駐車場への入場登録処理が行われる。この入場登録処理が完了すると、決済サービスセンタ装置７からの制御によって入口ゲート９が開けられ、車両２が駐車場の中に進入可能となる（Ｓ３）。
【００４５】
駐車を終えた車両２が、駐車場から退場するために出口ゲート１０まで移動すると、図示しないカメラ、ＶＰＤ、レーザＶＰＤ、踏み板、ループコイル等のうちのいずれかによってそれが検知される。更に、出口ゲート１０付近に設置された図示しないカメラ、電子ナンバープレート（車両無線タグ）リーダ等によってこの車両２のナンバープレートが認識される。出口路側装置６では、この認識情報に基づいて、車両番号、現在時刻等が記録された駐車場退場情報ｂが作成される。そして、この作成された駐車場退場情報ｂは暗号化され、狭域通信によってこの車両２の車載器３に送信される（Ｓ４）。
【００４６】
この送信された駐車場退場情報ｂは、車載器３の狭域受信器１２に受信され、ＣＰＵ１３に転送される。更に、この駐車場退場情報ｂがメモリ１４に転送されて記憶され、更に、Ｉ／Ｆ１５によって、携帯電話４が、入場時にメモリ１４に記憶されたアドレス（電話番号）にしたがって決済サービスセンタ装置７へとオートダイヤルされる。携帯電話４が、決済サービスセンタ装置７にオートダイヤルすることによって、広域通信を利用して、決済サービスセンタ装置７に駐車場退場情報ｂおよびこの車両の車両識別情報ｃが送信される（Ｓ５）。
【００４７】
この車両２の携帯電話４から送信された駐車場退場情報ｂおよび車両識別情報ｃは、決済サービスセンタ装置７によって受信される。そして、決済サービスセンタ装置７では、これらの情報と、入場時になされた入場登録処理結果に基づいて、この車両２に対応する入場時間が検索され、この車両２の駐車時間が計算される。そして、この駐車時間に基づいて駐車場料金が計算され（Ｓ６）、更に、出口ゲート１０が開けられる（Ｓ７）。なお、駐車場料金は、車両２毎に予め定められた口座から引き落とされる。
【００４８】
決済サービスセンタ装置７が、駐車場料金を携帯電話４に向けて送信し、携帯電話４においてこの駐車場料金を受信することも可能である。また、運転手が自主的に決済サービスセンタ装置７にアクセスして駐車場料金を確認することもできる。
【００４９】
上述したように、本実施の形態に係る駐車場料金課金システムにおいては、上記のような作用により、駐車場の利用料金を自動的に計算し、予め定めた口座から引き落とすことができる。これによって、駐車場の進入時および退場時における料金収受に関する手続きを取り除くことができるので、運転手の負担を軽減するのみならず、車両は、駐車場の入口および出口であってもスムーズに通過することができるようになり、駐車場の混雑の緩和に資することができる。
【００５０】
また、従来用いている駐車券が不要となるので、駐車券の発券に係るコストを削減することができるのみならず、駐車券を紛失する心配からも解放される。
【００５１】
更に、入口路側装置５から車載器３への通信、および出口路側装置６から車載器３への通信はダウンリンクのみであり、かつ、狭域通信に限定することができる。一方、広域通信が必要な決済サービスセンタ装置７との通信については、携帯電話４で行うことができる。このため、車載器３は広域通信を行う必要が無くなり、広域通信トラフィック量を低減することができ、コストダウンを図ることができる。更に、このコストダウンによって、本実施の形態に係る駐車場料金課金システムの普及率を更に高めることが可能となる。
【００５２】
なお、出口路側装置６と車載器３との通信を双方向で行い、相互認証することによってセキュリティを高めるようにすることも可能である。
【００５３】
（第２の実施の形態）
本発明の第２の実施の形態を図７から図９を用いて説明する。
【００５４】
図７は、本実施の形態に係る駐車場料金課金システムに適用する車載器３と携帯電話４との機能ブロック図である。
【００５５】
図７に示すように、本実施の形態に係る駐車場料金課金システムに適用する携帯電話４は、送受信器１９と、ＣＰＵ２０と、ＩＣカード２１とを備えている。この携帯電話４の構成は、その全体構成を図１に示す第１の実施の形態に係る駐車場料金課金システムの構成のうちの携帯電話４に、ＩＣカード２１を適用した点のみが異なる。また、車載器３の構成は、図２に示す車載器３における狭域受信器１２に代えて狭域送受信器１７を備えた点のみが異なる。したがって、ここでは、図７を用いて異なる構成についてのみ説明し、同一部分に関する説明を省略し、重複説明を避ける。
【００５６】
車載器３の狭域送受信器１７は、入口路側装置５および出口路側装置６と、狭域通信によるデータ送受信を行う。
【００５７】
携帯電話４の送受信器１９は、通常の通話を行う他に、データの送受信を行う。データの送受信を行う場合には、ＣＰＵ２０と連携して行い、外部からデータを受信した場合には、この受信したデータをＣＰＵ２０に出力する。一方、外部へデータを送信する場合には、ＣＰＵ２０からデータを受け取って、受け取ったデータを外部へ送信する。
【００５８】
ＣＰＵ２０は、送受信器１９によって受信されたデータに基づいて、ＩＣカード２１へのデータの書き込みや、ＩＣカード２１に書き込まれているデータの読み取りを行う。また、送受信器１９がデータを送信する場合には、必要なデータを送受信器１９に渡す。
【００５９】
ＩＣカード２１は、データ書込可能な記憶媒体であって、携帯電話４に着脱可能な構成としている。このＩＣカード２１には、料金に相当する度数が書き込まれている。そして、駐車場料金を支払う場合には、この駐車場料金に相当する度数が減じられることによって決算するようにしている。このようなＩＣカード２１は、ガソリンスタンドやパーキングエリア等の所定の施設において、料金を支払うことによって、料金に相当する度数が書き込まれたものを購入できるようにしている。また、所定の施設において、料金を支払い、その料金に相当する度数を追加して書き込むことも可能としている。
【００６０】
このように送受信器１９と、ＣＰＵ２０と、ＩＣカード２１とを備えた携帯電話４に対して、Ｉ／Ｆ１５からオートダイヤル要求がなされたときの動作について、図８に示すデータ流れ図、および図９に示すフローチャートを用いて説明する。
【００６１】
車両２が駐車場に入場しようとすると、入口ゲート９付近に備えられた図示しないカメラ、ＶＰＤ、レーザＶＰＤ、踏み板、ループコイル等のうちのいずれかによって検知される。そして、入口ゲート９付近に設置された図示しないカメラ、電子ナンバープレート（車両無線タグ）リーダ等のうちのいずれかによって車両２のナンバープレートが認識される。入口路側装置５では、この認識情報に基づいて、車両番号、および現在時刻等が記録された駐車場入場情報ａが作成される。そして、この作成された駐車場入場情報ａは暗号化され、狭域通信によってこの車両２の車載器３に送信される。（Ｓ１１）。
【００６２】
この送信された駐車場入場情報ａは、車載器３の狭域送受信器１７に受信され、ＣＰＵ１３に転送される。そして、ＣＰＵ１３では、駐車場入場情報ａに基づいて、駐車場入場情報ａを拒否するか承諾するかが判定される。なお、拒否する場合というのは、例えば、駐車場を利用するのをやめる場合、あるいは駐車場入場情報ａの内容に矛盾がある場合（異なる車両番号が記録されている、あるいは異なる時間が記録されている場合等）である。駐車場入場情報ａを承諾する場合には、この駐車場入場情報ａがメモリ１４に記憶される。更に、ＣＰＵ１３に指示に基づいて、狭域送受信器１７から入口路側装置５に向けて、狭域通信を利用して、駐車場入場情報ａおよびこの車両の車両識別情報ｃが送信される（Ｓ１２）。
【００６３】
車載器３の狭域送受信器１７から送信された駐車場入場情報ａおよび車両識別情報ｃは、入口路側装置５によって受信される。更に、この駐車場入場情報ａおよび車両識別情報ｃは、入口路側装置５から決済サービスセンタ装置７に転送される（Ｓ１３）。
【００６４】
決済サービスセンタ装置７では、転送されたこれらの情報に基づいて、この車両２に対応する入場時間が記録され、この車両２の駐車場への入場登録処理が行われる。この入場登録処理が完了すると、決済サービスセンタ装置７からの制御によって入口ゲート９が開けられ、車両２が駐車場の中に進入可能となる（Ｓ１４）。
【００６５】
また、入場登録処理が完了した旨が、決済サービスセンタ装置７からこの車両２の携帯電話４に対して、広域通信によって送信される（Ｓ１５）。
【００６６】
駐車を終えた車両２が、駐車場から退場するために出口ゲート１０まで移動すると、図示しないカメラ、ＶＰＤ、レーザＶＰＤ、踏み板、ループコイル等のうちのいずれかによってそれが検知される。更に、出口ゲート１０付近に設置された図示しないカメラ、電子ナンバープレート（車両無線タグ）リーダ等によってこの車両２のナンバープレートが認識される。出口路側装置６では、この認識情報に基づいて、車両番号、現在時刻、および決済サービスセンタ装置７へのアドレス（電話番号）等が記録された駐車場退場情報ｂが作成される。そして、この作成された駐車場退場情報ｂは暗号化され、狭域通信によってこの車両２の車載器３に送信される。（Ｓ１６）。
【００６７】
この送信された駐車場退場情報ｂは、車載器３の狭域送受信器１７によって受信され、ＣＰＵ１３に転送される。更に、この駐車場退場情報ｂがメモリ１４に転送されて記憶され、更に、Ｉ／Ｆ１５によって、携帯電話４が、アドレス（電話番号）にしたがって決済サービスセンタ装置７へとオートダイヤルされる。携帯電話４が、決済サービスセンタ装置７にオートダイヤルすることによって、広域通信を利用して、決済サービスセンタ装置７に駐車場退場情報ｂおよびこの車両の車両識別情報ｃが送信される（Ｓ１７）。
【００６８】
この車両２の携帯電話４から送信された駐車場退場情報ｂおよび車両識別情報ｃは、決済サービスセンタ装置７によって受信される。そして、決済サービスセンタ装置７では、これらの情報と、入場時になされた入場登録処理結果に基づいて、この車両２に対応する入場時間が検索され、この車両２の駐車時間が計算される。そして、この駐車時間に基づいて駐車場料金が計算される（Ｓ１８）。
【００６９】
そして、決済サービスセンタ装置７から駐車場料金情報ｄが携帯電話４に向けて送信される。この送信された駐車場料金情報ｄは、携帯電話４の送受信器１９によって受信され、ＣＰＵ２０に転送される。そして、ＣＰＵ２０によって、この駐車場料金に相当する度数がＩＣカード２１の度数から減じられる（Ｓ１９）。また、決済サービスセンタ装置７によって、出口路側装置６が制御され、出口ゲート１０が開けられる（Ｓ２０）。
【００７０】
なお、ＩＣカード２１の残り度数が少なく、駐車場料金を徴収することができない場合には、第１の実施の形態で説明したように、予め定められた口座から駐車場料金が引き落とされる。
【００７１】
上述したように、本実施の形態に係る駐車場料金課金システムにおいては、上記のように構成しているので、第１の実施の形態で得られた作用効果を、ＩＣカード２１を用いることによっても、同様に奏することができる。
【００７２】
以上、本発明の好適な実施の形態について、添付図面を参照しながら説明したが、本発明はかかる構成に限定されない。特許請求の範囲の発明された技術的思想の範疇において、当業者であれば、各種の変更例及び修正例に想到し得るものであり、それら変更例及び修正例についても本発明の技術的範囲に属するものと了解される。
【００７３】
例えば、本発明は上記各実施の形態で説明したような駐車場料金課金システムのみならず、ドライブスルーにおける商品受け取りとそれに対する料金の支払い、ガソリンスタンドにおける料金の支払い、洗車場における料金の支払いなど、車両に対して提供されたサービスに対する料金の支払いに応用することが可能である。
【００７４】
【発明の効果】
以上説明したように、本発明によれば、携帯電話と、この携帯電話のオートダイヤル機能を備えた車載器とを用い、必要な情報を携帯電話から決済側に自動的に送信することによって課金処理を行うことができる。
【００７５】
以上により、車載器のコストダウンを図りつつ駐車場の料金収受に伴う運転手の負担を低減することが可能な駐車場料金課金システムを実現することができる。
【図面の簡単な説明】
【図１】第１の実施の形態に係る駐車場料金課金システムの構成例を示す概念図
【図２】車載器の機能ブロック図
【図３】車載器と携帯電話との接続方法を示す概念図
【図４】携帯電話の機能を持つ基板を車載器に内蔵した構成例を示す機能ブロック図
【図５】第１の実施の形態に係る駐車場料金課金システムの動作を示すデータ流れ図
【図６】第１の実施の形態に係る駐車場料金課金システムの動作を示すフローチャート
【図７】第２の実施の形態に係る駐車場料金課金システムに適用する車載器と携帯電話との機能ブロック図
【図８】第２の実施の形態に係る駐車場料金課金システムの動作を示すデータ流れ図
【図９】第２の実施の形態に係る駐車場料金課金システムの動作を示すフローチャート
【符号の説明】
ａ…駐車場入場情報
ｂ…駐車場退場情報
ｃ…車両識別情報
ｄ…駐車場料金情報
２…車両
３…車載器
４…携帯電話
５…入口路側装置
６…出口路側装置
７…決済サービスセンタ装置
９…入口ゲート
１０…出口ゲート
１２…狭域受信器
１３，２０…ＣＰＵ
１４…メモリ
１５…インタフェース
１６…基板
１７…狭域送受信器
１９…送受信器
２１…ＩＣカード
【図１】
0003616050.tif 000002
【図２】
0003616050.tif 000003
【図３】
0003616050.tif 000004
【図４】
0003616050.tif 000005
【図５】
0003616050.tif 000006
【図６】
0003616050.tif 000007
【図７】
0003616050.tif 000008
【図８】
0003616050.tif 000009
【図９】
0003616050.tif 000010